(57)【要約】【課題】受信した放送番組の検索結果にもとづいて内蔵機能を制御することのできる電子機器を提供する。【解決手段】受信部１が、地上デジタル放送を受信し、放送番組検索部２が、受信部１により受信された放送中の番組のデータを予め登録された検索条件により検索し、その検索条件に一致する番組を検出したときに一致検出信号を出力し、制御部３が、放送番組検索部２から一致検出信号が出力されたときに、電子機器に内蔵されている表示部４を起動させる制御信号を出力する。【選択図】図１
2010263458.tif 000002
【特許請求の範囲】
【請求項１】
地上デジタル放送を受信する受信手段と、
前記受信手段により受信された放送中の番組のデータを予め登録された検索条件により検索し、前記検索条件に一致する番組を検出したときに一致検出信号を出力する放送番組検索手段と、
前記放送番組検索手段から前記一致検出信号が出力されたときに、前記番組を表示する内蔵の表示手段を起動させる制御信号を出力する制御手段と
を有することを特徴とする電子機器。
【請求項２】
地上デジタル放送を受信する受信手段と、
前記受信手段により受信された放送中の番組のデータを予め登録された検索条件により検索し、前記検索条件に一致する番組を検出したときに一致検出信号を出力する放送番組検索手段と、
前記放送番組検索手段から前記一致検出信号が出力されたときに、内蔵の電子メール手段を起動させる制御信号を出力する制御手段と
を有することを特徴とする電子機器。
【請求項３】
前記制御手段が、
前記制御信号を出力するときに、前記放送番組検索手段へ、前記検索条件に一致した番組のデータを前記電子メール手段へ送るよう指示する
ことを特徴とする請求項２に記載の電子機器。
【請求項４】
前記番組のデータが、字幕情報である
ことを特徴とする請求項１または２に記載の電子機器。
【請求項５】
前記番組のデータが、番組画像である
ことを特徴とする請求項１または２に記載の電子機器。
【発明の詳細な説明】
【技術分野】
【０００１】
本発明は、電子機器に関する。
【背景技術】
【０００２】
地上デジタル放送では、通常の表示に必要な１２セグメントに加えて１セグメントの放送枠が設けられており、この１セグメントを利用した映像・音声・データの放送、いわゆるワンセグ放送が行われている。上述のデータの中には、映像や音声に同期して字幕を画面に表示するための字幕情報が含まれている。
【０００３】
このワンセグ放送は、おもに、ワンセグチューナを備えた、携帯電話やパーソナルコンピュータなどの電子機器にて受信される。
【０００４】
このような電子機器では、ワンセグ放送を視聴するのみならず、フラッシュメモリやハードディスクなどの記憶手段へ録画することも可能である。その録画機能の１つに予約録画機能があり、通常は電子番組表などを用いて録画予約が行われる。
【０００５】
これに対して、急な番組変更などに対応するため、放送データに関する検索情報の入力を予め行って記憶しておき、その検索情報と受信した放送データとを比較し、その比較結果により、記録開始するか否かを決定する記録再生装置が提案されている（例えば、特許文献１参照。）。
【０００６】
上述の提案の記録再生装置では、検索情報として、番組のタイトル画面やキャラクタの画像などの画像情報、または歌手の声などの音声情報を用いられる。これにより、予約設定されたタイトル画面が現れたところから録画を開始することや、予約設定されたキャラクタあるいは歌手が出演している番組を漏れなく録画することができる。
【０００７】
ところで、上述の携帯電話やパーソナルコンピュータなどの電子機器には、多くの場合、電子メール機能が、標準的に備えられている。そこで、この電子メール機能を利用して、例えば同じ趣味や興味を有する仲間などの間での、コミュニケーションが図られる。
【０００８】
そのコミュニケーションの１つに、共通の趣味や興味に関連するテレビ番組の情報交換がある。そのため、携帯電話やパーソナルコンピュータなどでワンセグ放送を視聴中に興味をひかれるテレビ番組に遭遇した場合、その情報を直ちに仲間に伝え、その番組の視聴を促したいことがある。しかし、従来、そのような場合、自ら電子メール機能を起動させ、番組情報などを記載しなければならず、情報伝達に時間および手間がかかる、という問題があった。
【０００９】
また、最近では、２つのワンセグチューナを備える電子機器も開発されている。そのような電子機器では２つのワンセグチューナで異なるチャンネルの放送を受信することが可能である。
【００１０】
しかし、従来、一方のワンセグチューナで受信した放送を視聴中に、他方のワンセグチューナで受信した放送に興味をひかれる番組があっても、その番組が自動的に表示されることがなく、その番組を見逃す、という問題があった。
【先行技術文献】
【特許文献】
【００１１】
【特許文献１】特開２００５−６５０３９号公報  （第６−７ページ、図１）
【発明の概要】
【発明が解決しようとする課題】
【００１２】
そこで、本発明の目的は、受信した放送番組の検索結果にもとづいて内蔵機能を制御することのできる電子機器を提供することにある。
【課題を解決するための手段】
【００１３】
本発明の一態様によれば、地上デジタル放送を受信する受信手段と、前記受信手段により受信された放送中の番組のデータを予め登録された検索条件により検索し、前記検索条件に一致する番組を検出したときに一致検出信号を出力する放送番組検索手段と、前記放送番組検索手段から前記一致検出信号が出力されたときに、前記番組を表示する内蔵の表示手段を起動させる制御信号を出力する制御手段とを有することを特徴とする電子機器が提供される。
【００１４】
また、本発明の別の一態様によれば、地上デジタル放送を受信する受信手段と、前記受信手段により受信された放送中の番組のデータを予め登録された検索条件により検索し、前記検索条件に一致する番組を検出したときに一致検出信号を出力する放送番組検索手段と、前記放送番組検索手段から前記一致検出信号が出力されたときに、内蔵の電子メール手段を起動させる制御信号を出力する制御手段とを有することを特徴とする電子機器が提供される。
【発明の効果】
【００１５】
本発明によれば、受信した放送番組の検索結果を利用して、内蔵する機能を自動的に起動させることができる。
【図面の簡単な説明】
【００１６】
【図１】本発明の実施例１に係る電子機器の構成の例を示すブロック図。
【図２】実施例１の電子機器における処理の流れの例を示すフロー図。
【図３】図２に示すフローの実行例を示す図。
【図４】本発明の実施例２に係る電子機器の構成の例を示すブロック図。
【図５】実施例２の電子機器における処理の流れの例を示すフロー図。
【図６】図５に示すフローの実行例を示す図。
【図７】本発明の実施例３に係る電子機器の構成の例を示すブロック図。
【図８】実施例３の電子機器における処理の流れの例を示すフロー図。
【図９】図８に示すフローの実行例を示す図。
【図１０】実施例３の電子機器における処理の流れの別の例を示すフロー図。
【図１１】図１０に示すフローの実行例を示す図。
【発明を実施するための形態】
【００１７】
以下、本発明の実施例について図面を参照して説明する。なお、図中、同一または相当部分には同一の符号を付して、その説明は繰り返さない。
【実施例１】
【００１８】
図１は、本発明の実施例１に係る電子機器の構成の例を示すブロック図である。
【００１９】
本実施例の電子機器は、地上デジタル放送を受信する受信部１と、受信部１により受信された放送中の番組のデータを予め登録された検索条件により検索し、その検索条件に一致する番組を検出したときに一致検出信号を出力する放送番組検索部２と、放送番組検索部２から一致検出信号が出力されたときに、電子機器に内蔵されている表示部４を起動させる制御信号を出力する制御部３と、を有する。
【００２０】
放送番組検索部２は、外部から入力された検索条件を格納する検索条件格納部２１と、受信部１の受信データの中から放送中の番組のデータを抽出するデータ抽出部２２と、データ抽出部２２により抽出されたデータを検索条件格納部２１に格納された検索条件と比較し、その両者が一致したときに一致検出信号を出力する比較部２３と、を備える。
【００２１】
制御部３は、放送番組検索部２から一致検出信号が出力されたときに、表示部４を起動させ、受信部１で受信中の番組を表示部４に表示させる。
【００２２】
次に、図２に示すフロー図および図３の実行例を用いて、本実施例の動作について説明する。
【００２３】
ここでは、検索条件として文字列を入力した上で、受信部１により地上デジタル放送の受信だけを常にしておき、放送中の番組の字幕データから抽出した字幕情報が検索条件の文字列と一致したときのみ、その番組を表示部４に自動的に表示するようにした例を示す。なお、図３に示す実行例は、対象の電子機器を携帯電話端末としたときの例である。
【００２４】
図２のフローでは、受信部１による地上デジタル放送の受信の開始にあたって、まず、検索条件として文字列（例えば、図３（ａ）に示す例では、「野球部優勝」）を入力する（ステップＳ０１）。
【００２５】
入力された文字列は、検索条件格納部２１に格納される。
【００２６】
放送番組検索部２のデータ抽出部２３は、受信部１の受信データの中から放送中の番組の字幕情報を抽出する（ステップＳ０２）。
【００２７】
続いて、比較部２３が、データ抽出部２２により抽出された字幕情報を検索条件格納部２１に格納された文字列と比較し（ステップＳ０３）、その両者が一致するかどうかを判定する（ステップＳ０４）。
【００２８】
一致しないときは（ＮＯ）、ステップＳ０３に戻って、比較動作を継続するが、字幕情報と検索条件の文字列が一致したときは（ＹＥＳ）、比較部２３は、一致検出信号を出力する（ステップＳ０５）。
【００２９】
比較部２３から一致検出信号が出力されると、制御部３は、表示部４を起動させ、受信部１で受信中の番組を表示部４に表示させる（ステップＳ０６）。
【００３０】
図３（ｂ）にその表示の例を示す。
【００３１】
制御部３は、その番組の終了を監視し（ステップＳ０７）、番組が放送中は（ＮＯ）、表示部４に表示を継続させるが、番組が終了すると（ＹＥＳ）、受信部１の出力表示の終了を指示し（ステップＳ０８）、本フローの処理を終了する。
【００３２】
このような本実施例によれば、視聴したい番組に関連する文字列を検索条件として予め入力しておけば、その文字列に一致する字幕情報を有する番組が放送されたときに、その番組が自動的に表示されるので、視聴したい番組を見逃すことを防止することができる。
【実施例２】
【００３３】
図４は、本発明の実施例２に係る電子機器の構成の例を示すブロック図である。
【００３４】
本実施例の電子機器が、実施例１と異なる点は、地上デジタル放送を受信する受信部として、通常受信用の受信部１Ａと、放送番組検索用の受信部１Ｂと、いう２つの受信部を有する点である。
【００３５】
本実施例では、放送番組検索部２は、受信部１Ｂにより受信された放送中の番組のデータを予め登録された検索条件により検索し、その検索条件に一致する番組を検出したときに一致検出信号を出力する。
【００３６】
本実施例の制御部３は、放送番組検索部２から一致検出信号が出力されると、表示部４に対して、受信部１Ａの出力を表示中であっても、受信部１Ｂの出力を追加表示するよう指示する。
【００３７】
次に、図５に示すフロー図および図６の実行例を用いて、本実施例の動作について説明する。
【００３８】
この例でも、実施例１と同様、検索条件として文字列を入力する例を示す。また、図６に示す実行例も、携帯電話端末における例である。
【００３９】
図５のフローでは、地上デジタル放送の受信を開始すると、図６（ａ）に示すように、受信部１Ａで受信中の番組が表示部４に表示される（ステップＳ１１）。
【００４０】
このとき、受信部１Ｂの受信チャンネルを受信部１Ａとは別のチャンネルに設定して、受信部１Ｂに対する検索条件の文字列を入力する（ステップＳ１２）。
【００４１】
受信部１Ｂが地上デジタル放送の受信を開始すると、放送番組検索部２のデータ抽出部２２は、受信部１Ｂの受信データの中から放送中の番組の字幕情報を抽出する（ステップＳ１３）。
【００４２】
続いて、比較部２３が、データ抽出部２２により抽出された字幕情報を検索条件格納部２１に格納された文字列と比較し（ステップＳ１４）、その両者が一致するかどうかを判定する（ステップＳ１５）。
【００４３】
一致しないときは（ＮＯ）、ステップＳ１４に戻って、比較動作を継続するが、字幕情報と検索条件の文字列が一致したときは（ＹＥＳ）、比較部２３は、一致検出信号を出力する（ステップＳ１６）。
【００４４】
比較部２３から一致検出信号が出力されると、制御部３は、表示部４を起動させ、受信部１Ｂで受信中の番組を表示部４に追加表示させる（ステップＳ１７）。
【００４５】
図６（ｂ）にその表示の例を示す。
【００４６】
制御部３は、受信部１Ｂで受信中の番組の終了を監視し（ステップＳ１８）、番組が放送中は（ＮＯ）、表示部４に受信部１Ｂ出力の表示を継続させるが、番組が終了すると（ＹＥＳ）、受信部１Ｂの出力表示の終了を指示する（ステップＳ１９）。
【００４７】
これにより、表示部４の表示は、図６（ｃ）に示すように、受信部１Ａの出力のみの表示に戻る。
【００４８】
このような本実施例によれば、見逃したくない番組に関連する文字列を検索条件として予め入力しておけば、他の番組を視聴していても、その文字列に一致する字幕情報を有する番組が放送されたときに、その番組が自動的に追加表示されるので、現在視聴中の番組とともに、見逃したくない番組も同時に視聴することができる。
【実施例３】
【００４９】
実施例１および実施例２では、検索条件として文字列を入力し、番組検索結果により表示機能を起動させる例を示したが、本実施例では、検索条件として画像を入力し、番組検索結果により電子メール機能を起動させる例を示す。
【００５０】
図７は、本発明の実施例３に係る電子機器の構成の例を示すブロック図である。
【００５１】
本実施例の電子機器が、実施例１および実施例２と異なる点は、制御部３が、放送番組検索部２の比較部２３から一致検出信号が出力されたときに、内蔵の電子メール部５を起動させて、検索条件に一致した番組の番組データを電子メールに添付することである。
【００５２】
次に、図８に示すフロー図および図９の実行例を用いて、本実施例の動作について説明する。
【００５３】
ここでは、検索条件として画像を入力した上で、受信部１により地上デジタル放送の受信だけを常にしておき、放送中の番組から抽出した画像が検索条件の画像と一致または類似のときは、電子メール部５を起動させて、その番組画像を添付したメールを自動的に作成するようにした例を示す。なお、図９に示す実行例は、対象の電子機器を携帯電話端末としたときの例である。
【００５４】
図８のフローでは、受信部１による地上デジタル放送の受信の開始にあたって、まず、検索条件として、図９（ａ）に示すような画像を入力する（ステップＳ２１）。
【００５５】
入力された画像は、検索条件格納部２１に格納される。
【００５６】
放送番組検索部２のデータ抽出部２２は、受信部１の受信データの中から放送中の番組の画像を抽出する（ステップＳ２２）。
【００５７】
続いて、比較部２３が、データ抽出部２２により抽出された番組画像を検索条件格納部２１に格納された画像と比較し（ステップＳ２３）、その両者が一致するかどうかを判定する（ステップＳ２４）。
【００５８】
一致しないときは（ＮＯ）、ステップＳ２３に戻って、比較動作を継続する。この間、
携帯電話端末は、例えば待ち受け状態であれば、図９（ｂ）に示すような表示である。
【００５９】
一方、番組画像と検索条件の入力画像が一致したときは（ＹＥＳ）、比較部２３は、一致検出信号を出力する（ステップＳ２５）。
【００６０】
比較部２３から一致検出信号が出力されると、制御部３は、電子メール部５を起動させ（ステップＳ２６）、データ抽出部２２により抽出された番組画像を添付した電子メールを自動的に作成する（ステップＳ２７）。
【００６１】
図９（ｃ）に電子メール作成画面の例を示す。
【００６２】
最後に、電子メールを送信すると（ステップＳ２８）、本フローの処理は終了し、元の状態に戻る。例えば、元の状態が待ち受け状態であれば、携帯電話端末は、図９（ｄ）に示すように、元の待ち受け状態に戻る。
【００６３】
このような本実施例によれば、例えば同じ趣味や興味を有する仲間などへ、共通の趣味や興味に関連するテレビ番組の情報を伝達したいときに、その趣味や興味に関する画像を検索条件として予め入力しておけば、その画像に一致または類似する画像を有する番組が放送されたときに、その番組画像を添付した電子メールが自動的に作成されるので、電子メールを作成する煩わしさもなく、かつ速やかに情報伝達を行うことができる。
【実施例４】
【００６４】
地上デジタル放送では、放送データの中に放送中の番組に関する番組情報が含まれる。そこで、本実施例では、図７に示す構成の電子機器において電子メール部５を起動させる際、実施例３で示した番組画像データを添付したメールを作成する代わりに、番組情報を添付したメールを作成するようにした例を示す。
【００６５】
図１０に、本実施例における処理の流れをフロー図で示す。本実施例においても、ステップＳ２１〜ステップＳ２６の処理は実施例３の図８のフローと同じであるので、ここでは、この間の処理についての説明は省略する。
【００６６】
本実施例の場合、制御部３は、ステップＳ２６において電子メール部５を起動させるとともに、データ抽出部２２に番組情報を取得させ（ステップＳ３７）、その番組情報を添付した電子メールを自動的に作成する（ステップＳ３８）。
【００６７】
すなわち、携帯電話端末の場合、例えば、図１１（ａ）に示す待ち受け画面から、図１１（ｂ）に示す電子メール作成画面に自動的に切り替わる。図１１（ｂ）では、メールの本文に番組情報を記載した例を示す。
【００６８】
最後に、電子メールを送信すると（ステップＳ３９）、本フローの処理は終了し、元の状態に戻る。例えば、元の状態が待ち受け状態であれば、携帯電話端末は、図１１（ｃ）に示すように、元の待ち受け状態に戻る。
【００６９】
このような本実施例によれば、検索条件として予め入力しておいた画像に一致または類似する画像を有する番組が放送されたときに、その番組の番組情報を記載した電子メールが自動的に作成されるので、メールの送信相手に視聴を促したい番組の番組情報を簡単に伝達することができる。
【００７０】
例えば、電子メールの本文に、番組情報をリンク先として記述するようにすれば、メール受信者は、そのリンクをクリックするだけで、メール送信者と同じチャンネルの番組を視聴することができる。
【００７１】
なお、番組データの検索条件と、検索条件に一致する番組を検出したときに起動させる内蔵機能との組み合わせは、上述の各実施例で示した組み合わせに限られるものではない。例えば、検索条件を文字列として電子メール機能を起動させるようにしてもよいし、検索条件を画像として表示機能を起動させるようにしてもよい
また、上述した各実施例では、電子機器が携帯電話端末である場合を例にとって説明したが、本発明が対象とする電子機器は携帯電話端末に限るものではなく、パーソナルコンピュータなど他の電子機器においても実施することが可能である。
【符号の説明】
【００７２】
１、１Ａ、１Ｂ  受信部
２  放送番組探索部
３  制御部
４  表示部
５  電子メール部
２１  検索条件格納部
２２  データ抽出部
２３  比較部
【図１】
2010263458.tif 000003
【図２】
2010263458.tif 000004
【図３】
2010263458.tif 000005
【図４】
2010263458.tif 000006
【図５】
2010263458.tif 000007
【図６】
2010263458.tif 000008
【図７】
2010263458.tif 000009
【図８】
2010263458.tif 000010
【図９】
2010263458.tif 000011
【図１０】
2010263458.tif 000012
【図１１】
2010263458.tif 000013